(57)【要約】      （修正有）【課題】タグチップを回転させるか或いは違う角度から見ると異なる二つの隠し図案が表示される、隠し図案プラスチックタグチップを提供する。【解決手段】タグチップ表面に、連続マトリクス配列された複数の尖状体が設けられ、前記尖状体は少なくとも二つの異なる面側の斜辺を含み、尖状体の内の一方の面側の斜辺上には第一図案が設けられ、尖状体の内のもう一方の面側の斜辺上には第二図案が設けられ、第一図案及び第二図案の板体と尖状体斜辺の平面の間には高低落差があり、斜辺の平面と図案部分は異なる表面粗度を備え、それにより多重図案表示構造が形成される。【選択図】図１
0003164641.tif 000002
【実用新案登録請求の範囲】
【請求項１】
隠し図案プラスチックタグチップであって、
前記タグチップ表面には、連続マトリクス配列された複数の尖状体が設けられ、前記尖状体は少なくとも二つの異なる面側の斜辺を含み、尖状体の内の一方の面側の斜辺上には第一図案が設けられ、尖状体の内のもう一方の面側の斜辺上には第二図案が設けられ、第一図案及び第二図案の板体と尖状体斜辺の平面の間には高低落差があり、尖状体斜辺の平面と図案部分は異なる表面粗度を備え、それにより多重図案表示構造が形成されることを特徴とする、隠し図案プラスチックタグチップ。
【請求項２】
前記尖状体は、三角形棒状体であり、棒状体の右側斜辺上には第一図案が設けられ、棒状体の左側斜辺上には第二図案が設けられることを特徴とする、請求項１に記載の隠し図案プラスチックタグチップ。
【請求項３】
前記尖状体は四角形の錐状体であることを特徴とする、請求項１に記載の隠し図案プラスチックタグチップ。
【請求項４】
前記第一図案と第二図案の板体は、尖状体斜辺の平面と比較して凹み状であることを特徴とする、請求項１に記載の隠し図案プラスチックタグチップ。
【請求項５】
前記第一図案と第二図案の板体は、尖状体斜辺の平面と比較して凸状であることを特徴とする、請求項１に記載の隠し図案プラスチックタグチップ。
【考案の詳細な説明】
【技術分野】
【０００１】
本考案は隠し図案プラスチックタグチップの構造に関し、特にタグチップ上に表示したい第一図案及び第二図案を設けることで、タグチップを回転させると異なる二つの隠し図案を表示させることが可能な、隠し図案プラスチックタグチップの構造に関する。
【背景技術】
【０００２】
一般的な産業上、従来の隠し図案がデザインされた製品は、その多くが、浮き彫り技術加工、または、業界で「隠し彫刻技術」と呼ばれる技術によって製作されており、連続マトリクス配列された複数の凸部間に、図案をデザインした反射斜面を設け、前記反射斜面を反射角として、光線を屈折させ図案を表示させる。その例としてよく見られる製品として、お金の硬貨の隠し図では、使用者が硬貨を回転させると、異なる角度の視点から隠された図案が見える。しかしながら、前記彫刻技術は、それ自身の材質の光反射特性の影響で制限を受けるため、各材質の製品上に幅広く適用させることはできず、業界の問題点となっている。
【０００３】
上述の構造の欠点を鑑み、台湾特許公告第Ｍ３０３１２２号「複数グラデーション表示効果をもつ彫刻面構造」が開示されている。それは、彫刻される本体上に連続マトリクス配列された複数の矩形状棒体を設け、図案に応じて、前記棒体の端角の特定位置を切って斜切面を形成させる。それにより、図案画像がグラデーションを呈し、複数層が重なって表示される視覚変化が形成させる。前記構造は、見る端角斜切面を利用しており光線の反射作用を利用しているわけではないため、光反射或いは低光反射の各種材質上に幅広く適用することができる。しかしながら、前記構造は、単一の本体を切って製作するため、生産上不便で時間もかかり、さらに、前記構造のカッター加工の工程は、精密な本体には適用させることができないため、やはり製作上問題点をかかえているといえる。
【先行技術文献】
【特許文献】
【０００４】
【特許文献１】台湾特許公告第Ｍ３０３１２２号明細書
【考案の概要】
【考案が解決しようとする課題】
【０００５】
そこで、本考案は、精密なアーク放電加工技術を使用し、キャビティ内の複数の尖状体の二つの異なる斜辺平面上に特定図案を連続して設けることにより、各斜辺平面と図案部分に、異なる表面粗度をもたせることができ、それにより隠し図案表示効果を得ることが可能な、隠し図案プラスチックタグチップを提供することを目的とする。
【課題を解決するための手段】
【０００６】
本考案による隠し図案プラスチックタグチップは、前記タグチップ表面に、連続マトリクス配列された複数の尖状体が設けられ、前記尖状体は少なくとも二つの異なる面側の斜辺を含み、尖状体の内の一方の面側の斜辺上には第一図案が設けられ、尖状体の内のもう一方の面側の斜辺上には第二図案が設けられ、第一図案及び第二図案の板体と尖状体斜辺の平面の間には高低落差があり、斜辺の平面と図案部分は異なる表面粗度を備え、それにより多重図案表示構造が形成される。
【図面の簡単な説明】
【０００７】
【図１】本考案の外観を示した斜視図である。
【図１ａ】本考案の一部の構造を示した拡大図である。
【図２】本考案の隠し図案の視る角度を示した説明図である。
【図３】本考案の隠し図案の第一図案を示した斜視図である。
【図４】本考案の隠し図案の第二図案を示した斜視図である。
【図５】本考案の実施例２の外観を示した斜視図である。
【図６】本考案の加工工程ａの金型製作を示した説明図である。
【図７】本考案の加工工程ｂの図案製作を示した説明図である。
【図８】本考案の加工工程ｂのもう一つの図案製作を示した説明図である。
【図９】本考案の加工工程ｃの注入生産を示した説明図である。
【考案を実施するための形態】
【０００８】
（実施例１）
図１、図１ａ、図２は、本考案による隠し図案プラスチックタグチップ１０を示している。そのタグチップ１０表面には、連続マトリクス配列された複数の尖状体が設けられ、尖状体は、二つの異なる面側の斜辺平面を少なくとも備えており、本実施例内の尖状体は三角形棒状体１１であり、三角形棒状体には右側斜辺と左側斜辺が設けられている。また、棒状体１１の右側斜辺上には、図３に示す図案のように、表示したい第一図案１２が設けられている。棒状体１１左側斜辺上には、図４に示す図案の文字のように、もう一つの表示したい第二図案１３が設けられている。なお、第一図案１２及び第二図案１３板体と尖状体加工面側斜辺平面間には高低落差がある。この平面の高低落差はアーク放電加工によって形成されるため、図案部分は凹み状にすることができる。また、図案部分以外の領域にアーク放電加工を行い、図案部分を凸状にし、斜辺平面と図案部分に更に異なった表面粗度をもたせることができる。以上の構造により、タグチップを回転させると異なる図案が表示される。
【０００９】
図２〜図４に示すように、本考案によるタグチップ１０では、隠し図案を、連続マトリクス配列された複数の三角形棒状体１１の左右両側の斜辺上に設ける。それにより、使用者が、タグチップ１０を回転させたり、或いは異なる角度から見たりした時（図３、図４に図示）、表示したい第一図案１２或いは第二図案１３に、光線の屈折度が異なることによる視覚のグラデーション感が生じ、異なる図案が表示されて見える。
【００１０】
（実施例２）
図５は、本考案の実施例２のタグチップ１０ａを示している。タグチップ１０ａ上には、隠し図案が配置された尖状体が設けられており、図の実施例で示されている尖状体は、複数の四角形の錐状体１４を連続マトリクス配列してなる。それにより、製造する時、四つの図案を、それぞれ錐状体１４の四つの異なる斜辺平面上に設けることができ、多重図案を表示させることができる。使用者が、タグチップ１０ａを回転させたり、或いは異なる角度から見たりした時、更に多くの異なる図案を表示する変化性が生じる。尖状体は、複数の四角形の錐状体１４を連続マトリクス配列してなる以外に、五角形錐状体或いは六角形錐状体或いはその他の多角形錐状体にすることもできる。
【００１１】
図６〜図９は、本考案の隠し図案プラスチックタグチップの具体的な実施工程を示している。本図の実施例は、以下の工程からなる。
【００１２】
ａ、製品金型製作工程：まず、金板２０の上に、工作機械で、所定のタグチップ製品輪郭形状のキャビティ２１を形成させる。そして、キャビティ２１の形成したい隠し図案箇所内に、カッター加工で連続マトリクス配列された複数の尖状体２２を形成させる（図６に図示）。
【００１３】
ｂ、図案成形加工：金板２０を傾斜させ、キャビティ２１内の尖状体２２の第一側辺（左）２３を水平に配置し、さらに、アーク放電加工技術の高圧電流の衝撃により、欲しい図案（例えば図内でこの部分は第一図案１２にする）を側辺平面上に連続して設け、同時に、図案の加工した箇所と加工していない箇所の背景に異なる粗度表面のコントラストを形成させる（図７に図示）。さらに、同じ方式で、表示させたいもう一つの第二図案１３を尖状体２２の第二側辺（右）２４表面に連続して設ける（図８に図示）。
【００１４】
ｃ、注入生産：製作が完成した後の金板２０に、プラスチック射出成形機でプラスチックを注入する（図９に図示）と、立体変幻グラデーション感をもつ隠し図案表示効果があるタグチップ１０（図１に図示）が製作される。
【００１５】
前述の製造方法は、製品の質感とその付加価値を高めることができるだけでなく、消費者の購買意欲を向上させることができる。また、精密なアーク放電加工技術を利用することで、複雑で精密な関連製品に幅広く適用することができる。そして、製作工程の簡略化、作業時間の短略化により、特注製品を大量生産するのに適し、生産量を大幅に増やし、生産コストを下げることができる。
【００１６】
また、本考案は、図案成形加工工程ｂにおいて、レーザー加工技術を採用することができ、特定の図案を尖状体側辺平面の表面にエッチングし、同様の効果を得ることができる。
【符号の説明】
【００１７】
１０、１０ａ    タグチップ
１１    棒状体
１２    第一図案
１３    第二図案
１４    錐状体
２０    金板
２１    キャビティ
２２    尖状体
２３    第一側辺
２４    第二側辺
【図１】
0003164641.tif 000003
【図１ａ】
0003164641.tif 000004
【図２】
0003164641.tif 000005
【図３】
0003164641.tif 000006
【図４】
0003164641.tif 000007
【図５】
0003164641.tif 000008
【図６】
0003164641.tif 000009
【図７】
0003164641.tif 000010
【図８】
0003164641.tif 000011
【図９】
0003164641.tif 000012